(57)【要約】【課題】外部接続端子における防水性を確保しつつ、筐体の端を薄くすることを可能にする。【解決手段】外部接続端子部１０１は、外表面１ａおよび外表面１ａの反対側であって防水すべき空間に面する内表面１ｂを有し、外表面１ａと内表面１ｂとの間を連通させる取付け開口部４を有する筐体１と、外部から挿入される雄型コネクタ３の少なくとも一部を収容するための受入れ凹部を有する雌型コネクタ本体２と、取付け開口部４を取り囲むように配置された封止部としての環状封止部５とを備える。雌型コネクタ本体２は、受入れ凹部内に露出する第１導電体露出部６と受入れ凹部外に露出する第２導電体露出部７とを備える。雌型コネクタ本体２は、環状封止部５を介して取付け開口部４を外表面１ａ側から塞ぐように筐体１に固定されており、第２導電体露出部７が取付け開口部４を通じて筐体１の内表面１ｂ側に露出する。【選択図】図８
2016122605.tif 000002
【特許請求の範囲】
【請求項１】
外表面および前記外表面の反対側であって防水すべき空間に面する内表面を有し、前記外表面と前記内表面との間を連通させる取付け開口部を有する筐体と、
外部から挿入される雄型コネクタの少なくとも一部を収容するための受入れ凹部を有する雌型コネクタ本体と、
前記取付け開口部を取り囲むように配置された封止部とを備え、
前記雌型コネクタ本体は、前記受入れ凹部内に露出する第１導電体露出部と、
前記第１導電体露出部に電気的に接続されており、前記受入れ凹部外に露出する第２導電体露出部とを備え、
前記雌型コネクタ本体は、前記封止部を介して前記取付け開口部を前記外表面側から塞ぐように前記筐体に固定されており、前記第２導電体露出部が前記取付け開口部を通じて前記筐体の前記内表面側に露出する、外部接続端子部。
【請求項２】
前記封止部は、前記雄型コネクタの軸線に対して斜めに配置されている、請求項１に記載の外部接続端子部。
【請求項３】
前記第２導電体露出部は、前記雌型コネクタ本体の前記受入れ凹部とは反対側の面に配置されている、請求項１または２に記載の外部接続端子部。
【請求項４】
前記雌型コネクタ本体を前記筐体に向けて押さえつけるホルダ部材を備える、請求項１から３のいずれかに記載の外部接続端子部。
【請求項５】
前記雌型コネクタ本体は、前記受入れ凹部に隣接して他より薄くなっている薄肉部を有し、前記ホルダ部材は前記薄肉部に重なるように配置されている、請求項４に記載の外部接続端子部。
【請求項６】
請求項１から５のいずれかに記載の外部接続端子部を備える、電子機器。
【発明の詳細な説明】
【技術分野】
【０００１】
本発明は、外部接続端子部およびこれを備える電子機器に関するものである。
【背景技術】
【０００２】
携帯端末などの電子機器においては、イヤホンの接続端子、ＵＳＢ端子などのような外部接続のための端子部を備えつつ、防水仕様が求められる場合がある。従来は、外部接続のための接続孔を有する雌型コネクタを筐体の内部に配置し、雌型コネクタを取り囲むようにパッキンなどの防水材を配置した構成としていた。雌型コネクタのうち接続孔近傍のみが外部に向けて露出していた。従来の防水性を有するコネクタの一例が特開２０１３−６２１９４号公報（特許文献１）に記載されている。
【先行技術文献】
【特許文献】
【０００３】
【特許文献１】特開２０１３−６２１９４号公報
【発明の概要】
【発明が解決しようとする課題】
【０００４】
従来技術に基づく外部接続端子では、筐体の内部に雌型コネクタが配置され、筐体の端に近い位置で雌型コネクタをパッキンが取り囲む形となっていたので、パッキンの外径に応じて筐体の端が膨らんだ形状となってしまい、筐体の端を薄い形状にすることが難しく、設計上の制約となっていた。
【０００５】
そこで、本発明は、外部接続端子における防水性を確保しつつ、筐体の端を薄い形状にすることが可能な外部接続端子部およびこれを備える電子機器を提供することを目的とする。
【課題を解決するための手段】
【０００６】
上記目的を達成するため、本発明に基づく外部接続端子部は、外表面および上記外表面の反対側であって防水すべき空間に面する内表面を有し、上記外表面と上記内表面との間を連通させる取付け開口部を有する筐体と、外部から挿入される雄型コネクタの少なくとも一部を収容するための受入れ凹部を有する雌型コネクタ本体と、上記取付け開口部を取り囲むように配置された封止部とを備え、上記雌型コネクタ本体は、上記受入れ凹部内に露出する第１導電体露出部と、上記第１導電体露出部に電気的に接続されており、上記受入れ凹部外に露出する第２導電体露出部とを備え、上記雌型コネクタ本体は、上記封止部を介して上記取付け開口部を上記外表面側から塞ぐように上記筐体に固定されており、上記第２導電体露出部が上記取付け開口部を通じて上記筐体の上記内表面側に露出する。
【発明の効果】
【０００７】
本発明によれば、外部接続端子における防水性を確保しつつ、筐体の端を薄い形状にすることが可能な外部接続端子部とすることができる。
【図面の簡単な説明】
【０００８】
【図１】本発明に基づく実施の形態１における外部接続端子部を外表面側から見た斜視図である。
【図２】本発明に基づく実施の形態１における外部接続端子部を内表面側から見た斜視図である。
【図３】本発明に基づく実施の形態１における外部接続端子部に雄型コネクタを接続した状態の斜視図である。
【図４】本発明に基づく実施の形態１における外部接続端子部を外表面側から見た分解図である。
【図５】本発明に基づく実施の形態１における外部接続端子部を内表面側から見た分解図である。
【図６】本発明に基づく実施の形態１における外部接続端子部に含まれる雌型コネクタ本体および環状封止部を第１の側から見た斜視図である。
【図７】本発明に基づく実施の形態１における外部接続端子部に含まれる雌型コネクタ本体および環状封止部を第２の側から見た斜視図である。
【図８】本発明に基づく実施の形態１における外部接続端子部の雌型コネクタ本体近傍の断面図である。
【図９】本発明に基づく実施の形態２における外部接続端子部の雌型コネクタ本体近傍の断面図である。
【図１０】本発明に基づく実施の形態３における外部接続端子部の雌型コネクタ本体近傍の断面図である。
【図１１】本発明に基づく実施の形態４における電子機器の第１の例の背面側が見える斜視図である。
【図１２】本発明に基づく実施の形態４における電子機器の第１の例の正面側が見える斜視図である。
【図１３】本発明に基づく実施の形態４における電子機器の第２の例の背面側が見える斜視図である。
【図１４】本発明に基づく実施の形態４における電子機器の第２の例の正面側が見える斜視図である。
【発明を実施するための形態】
【０００９】
（実施の形態１）
（構成）
図１〜図８を参照して、本発明に基づく実施の形態１における外部接続端子部について説明する。本実施の形態における外部接続端子部１０１の斜視図を図１に示す。図１に示した構造を裏側から見た状態を図２に示す。図１に示した外部接続端子部１０１に雄型コネクタを接続した状態を図３に示す。図３では、外部接続端子部１０１に対して雄型コネクタ３が接続されている。外部接続端子部１０１の分解図を図４に示す。図４に示した分解状態を裏側から見たところを図５に示す。
【００１０】
本実施の形態における外部接続端子部１０１は、外表面１ａおよび外表面１ａの反対側であって防水すべき空間に面する内表面１ｂを有し、外表面１ａと内表面１ｂとの間を連通させる取付け開口部４を有する筐体１と、外部から挿入される雄型コネクタ３の少なくとも一部を収容するための受入れ凹部２ａを有する雌型コネクタ本体２と、取付け開口部４を取り囲むように配置された環状封止部５とを備える。
【００１１】
雌型コネクタ本体２および環状封止部５を取り出したところを図６に示す。これを裏側から見た状態を図７に示す。図６および図７に示すように、雌型コネクタ本体２にはビス孔２ｅが設けられている。図４および図５に示すように、ビス９を雌型コネクタ本体２のビス孔２ｅに通すことによって、雌型コネクタ本体２は筐体１に固定されている。図１、図４および図５に示すように、ビス９による固定の際にはホルダ部材８が用いられている。ホルダ部材８は金属製であってよい。ホルダ部材８は板状のものであってよい。ホルダ部材８はビス孔８ｅを有している。ホルダ部材８を用いる場合には、ビス９はホルダ部材８に設けられたビス８ｅを通ってから雌型コネクタ本体２のビス孔２ｅを経由して、筐体１のビス孔１ｅへと締め込まれる。
【００１２】
図１〜図３では、筐体１を単純な形状の断片として示しているが、これは説明の便宜のために単純化したものであって、実際には筐体１は、より複雑な形状のものであってよい。筐体１は、通常、電子機器の筐体の一部または全部として用いられるものである。筐体１は、何らかの内部空間を規定することに寄与しうる形状のものである。筐体１はこれ単独で内部空間を囲い込むものであってもよく、１つの内部空間を取り囲む複数の部品のうちの１つであってもよい。
【００１３】
図３における雌型コネクタ本体２の近傍の断面図を図８に示す。ただし、図８では、図３と異なり、外部接続端子部１０１の外側に外装カバー１０が付けられている。図８では、雄型コネクタ３が雌型コネクタ本体２に対して挿入されることによって接続が実現している。雄型コネクタ３は軸線３ｘに沿って延在する。この例では、雄型コネクタ３は、軸線３ｘの方向に沿って進入してくることによって受入れ凹部２ａに入り込んでいる。ただし、雄型コネクタ３の進入方向は、軸線３ｘと同じ方向に限らない。
【００１４】
雄型コネクタ３は必ずしも全体が完全に受入れ凹部２ａに収まるとは限らない。受入れ凹部２ａは、雄型コネクタ３の少なくとも一部を収容することができるものであればよい。
【００１５】
図８においては、環状封止部５に関しては第１部分５ａと第２部分５ｂとが示されている。図８は断面図であるのでこのように２つの別々の部分として示されているが、実際には、第１部分５ａと第２部分５ｂとは環状につながっており、１つの環状封止部５となっている。
【００１６】
雌型コネクタ本体２は、受入れ凹部２ａ内に露出する第１導電体露出部６と、第１導電体露出部６に電気的に接続されており、受入れ凹部２ａ外に露出する第２導電体露出部７とを備える。環状封止部５は、第２導電体露出部７を取り囲むように、かつ、雌型コネクタ本体２を１方向から見たときに全周が見えるように配置されている。本実施の形態で示した例では、環状封止部５は、図７における矢印９０の側から見たときに全周が見える。
【００１７】
雌型コネクタ本体２は、環状封止部５を介して取付け開口部４を外表面１ａ側から塞ぐように筐体１に固定されている。環状封止部５は、筐体１の外表面１ａと雌型コネクタ本体２との間に位置している。図８に示す例では、雌型コネクタ本体２は、環状封止部５を同じ側に押し付けつつ取付け開口部４を外表面１ａ側から塞ぐように筐体１に固定されている。既に述べたように、環状封止部５は取付け開口部４を取り囲む。雌型コネクタ本体２の筐体１への固定の際、環状封止部５の同じ側への押し付けは、環状封止部５の全周にわたっていることが好ましい。
【００１８】
なお、遅くともこのように組み立てた時点では、環状封止部５は雌型コネクタ本体２の表面に沿った状態となっている。本実施の形態では、図５および図７に示したように、環状封止部５は雌型コネクタ本体２の表面に予め配置されて、この状態で、雌型コネクタ本体２が筐体１に対して取り付けられるものとして説明したが、これに限らず、逆に、筐体１の取付け開口部４の周りに環状封止部５が予め配置されていて、このような筐体１に対して雌型コネクタ本体２が取り付けられるものとしてもよい。
【００１９】
第２導電体露出部７が取付け開口部４を通じて筐体１の内表面１ｂ側に露出する。本実施の形態では、図８に示すように、雌型コネクタ本体２は、環状封止部５を全周にわたって矢印９１，９２の向きに押し付けつつ筐体１に固定されている。
【００２０】
図７に示すように、１つの雌型コネクタ本体２に複数の第２導電体露出部７が設けられていてもよい。このような場合には、１つの受入れ凹部２ａ内に複数の第１導電体露出部６が設けられていてもよい。第１導電体露出部６の個数と第２導電体露出部７の個数とを一致させ、それぞれ並列に電気的接続をさせる構造としてもよい。図８に示すように、第１導電体露出部６と第２導電体露出部７とは配線１１によって電気的に接続されている。配線１１は、このように雌型コネクタ本体２の内部で樹脂に埋め込まれた状態となっていてよい。第１導電体露出部６、第２導電体露出部７および配線１１は一体的に金属で形成されたものであってもよい。図８では、第１導電体露出部６と第２導電体露出部７とを電気的に接続する配線１１の全体が示されているが、これは説明の便宜のために模式的に示したものである。実際には配線１１は、このように１つの断面図内に全区間が見えるとは限らず、紙面奥手前方向に折れ曲がるなどして複雑な形状であってもよい。
【００２１】
なお、図４および図６で示されている第１導電体露出部６と図８で示されている第１導電体露出部６とでは位置および形状が異なるのは、受入れ凹部２ａ内に複数の第１導電体露出部６が配置されていて複数の第１導電体露出部６のうち異なる第１導電体露出部６が見えているからである。
【００２２】
（作用・効果）
本実施の形態では、環状封止部５を全周にわたって同じ側に押し付けつつ取付け開口部４を外表面１ａ側から塞ぐように、雌型コネクタ本体２が筐体１に固定されているので、雌型コネクタ本体２の取付けが簡単で、上述のようにビス９を利用して固定することができる。ここでは、一例としてビス９によって固定する構造を示したが、固定手段はビス９に限定されるものではなく、他の手段によって固定してもよい。
【００２３】
環状封止部５が雌型コネクタ本体２と筐体１との間に挟まれて配置されることによって環状封止部５の外側と内側との間での水などの流通は阻止される。この結果、雌型コネクタ本体２の全表面のうち環状封止部５の内側の領域は防水される。雌型コネクタ本体２の表面のうち取付け開口部４を通じて筐体１の内表面１ｂ側に露出しているのは環状封止部５の内側の領域に限られるので、筐体１の内側は防水される。
【００２４】
取付け開口部４を通じて筐体１の内表面１ｂ側に露出する第２導電体露出部７は、このようにして防水された領域内で露出しているので、筐体１の外表面１ａが水に濡れても第２導電体露出部７が水に濡れることは防止される。第２導電体露出部７と他の部品との間の電気的接続は浸水のおそれがない環境で行なうことができる。
【００２５】
環状封止部５を全周にわたって同じ側に押し付けつつ取付け開口部４を塞ぐことによって防水性が確保されるので、従来技術に基づく外部接続端子のように雌型コネクタ本体を取り囲むようにパッキンなどを配置することは、もはや必要はない。したがって、筐体の端が膨らんだ形状となることを避けることができる。
【００２６】
よって、本実施の形態における外部接続端子部によれば、外部接続端子における防水性を確保しつつ、筐体の端を薄い形状にすることが可能となる。
【００２７】
上述のように、外部接続端子部１０１は、雌型コネクタ本体２を筐体１に向けて押さえつけるホルダ部材８を備えることが好ましい。この構成を採用することにより、雌型コネクタ本体２の筐体１に対する固定を確実に行なうことができる。あるいは、ホルダ部材を用いることなくビスまたは他の固定手段によって雌型コネクタ本体２を筐体１に固定する構造であってもよい。
【００２８】
なお、本実施の形態では、環状封止部５は雌型コネクタ本体２と筐体１との両方に対してそれぞれ直接接していたが、環状封止部５の一部または全体にわたって、他の何らかの構成要素が環状封止部５と雌型コネクタ本体２との間、あるいは、環状封止部５と筐体１との間に介在していてもよい。すなわち、雌型コネクタ本体２による環状封止部５の筐体１に対する押し付けは、直接的であっても間接的であってもよい。
【００２９】
なお、環状封止部５は、パッキンなどのような環状の部材であってよい。あるいは、環状封止部５は、パッキンのように最初から固体で供給される部品に限らず、接着剤、液状の樹脂などを環状に塗布したものであってもよい。環状封止部５が固体以外の状態で供給されるものである場合には、環状封止部５はのちに硬化するものであってもよく、硬化しないものであってもよい。環状封止部５は環の内側と外側との間での水などの流通を防ぐことができるものであればよい。
【００３０】
なお、本実施の形態では、外部接続端子部が備える封止部の一例として環状封止部５を挙げたが、封止部は環状のものに限定されない。外部接続端子部は、環状以外の封止部を備えることとしてもよい。封止部は取付け開口部を取り囲んでいればよく、本実施の形態で説明した例のように１つの構成要素によって取付け開口部を取り囲んでいてもよく、あるいは、２つ以上の構成要素の組合せによって取り付け開口部を取り囲んでいてもよい。２つ以上の構成要素の組合せによって封止部をなす例としては、たとえば、環状のパッキンの一部が切り欠かれており、その切欠きに、接着剤などを塗布する構成が挙げられる。また、たとえば、環状の両面テープの一部が切り欠かれており、その切欠きに、接着剤などを塗布する構成が挙げられる。あるいは、封止部は、ここに述べた以外の組合せによって構成されていてもよい。
【００３１】
（実施の形態２）
（構成）
図９を参照して、本発明に基づく実施の形態２における外部接続端子部について説明する。本実施の形態における外部接続端子部１０２においては、基本的な構成は実施の形態１で説明したものと同様であるが、以下の点で異なる。
【００３２】
外部接続端子部１０２においては、第２導電体露出部７が雌型コネクタ本体２の下面から露出するように配置されており、環状封止部５は、第２導電体露出部７を取り囲みつつ、雌型コネクタ本体２の下面に接するように配置されている。このような構成の場合も、環状封止部５は、第２導電体露出部７を取り囲むように、かつ、雌型コネクタ本体２を１方向から見たときに全周が見えるように配置されているといえる。
【００３３】
雌型コネクタ本体２は、矢印９１，９２に示すように、筐体１に押し付けられて固定される。このような構成の場合も、環状封止部５を全周にわたって同じ側に押し付けつつ取付け開口部４を外表面１ａ側から塞ぐように筐体１に固定されているといえる。
【００３４】
（作用・効果）
本実施の形態においても、実施の形態１と同様の効果を得ることができる。
【００３５】
（実施の形態３）
（構成）
図１０を参照して、本発明に基づく実施の形態３における外部接続端子部について説明する。本実施の形態における外部接続端子部１０３においては、基本的な構成は実施の形態１で説明したものと同様であるが、以下の点で異なる。
【００３６】
以下では、説明の便宜のために、雌型コネクタ本体２の受入れ凹部２ａが面している側を前側、その反対側を後ろ側とする。すなわち、図１０における左側が前側、右側が後ろ側である。図１０では、雌型コネクタ本体２の右側の端面が後端面となる。
【００３７】
外部接続端子部１０３においては、第２導電体露出部７が雌型コネクタ本体２の後端面から露出するように配置されており、環状封止部５は、第２導電体露出部７を取り囲みつつ、雌型コネクタ本体２の後端面に接するように配置されている。このような構成の場合も、環状封止部５は、第２導電体露出部７を取り囲むように、かつ、雌型コネクタ本体２を１方向から見たときに全周が見えるように配置されているといえる。
【００３８】
雌型コネクタ本体２は、矢印９１，９２に示すように、筐体１に押し付けられて固定される。このような構成の場合も、環状封止部５を全周にわたって同じ側に押し付けつつ取付け開口部４を外表面１ａ側から塞ぐように筐体１に固定されているといえる。
【００３９】
（作用・効果）
本実施の形態においても、実施の形態１と同様の効果を得ることができる。
【００４０】
なお、実施の形態２，３において、想定しうる例を示したが、実際には実施の形態１に示したような構成が好ましい。すなわち、環状封止部５は、図８に示したように雄型コネクタ３の軸線３ｘに対して斜めに配置されていることが好ましい。このような構成であれば、第２導電体露出部７の配置および雌型コネクタ本体２の筐体１への取付け方向の設計上の自由度が高まる。図８に示すように第２導電体露出部７を雄型コネクタ３の軸線３ｘの延長方向に露出させつつ、雌型コネクタ本体２の筐体１への取付けは、雄型コネクタ３の軸線３ｘとは異なる方向、たとえば矢印９１，９２に示すように軸線３ｘとは垂直な方向に向けて行なうことも可能となる。
【００４１】
雄型コネクタ３の軸線方向が、筐体１の主面に平行な方向である場合には、第２導電体露出部７を雄型コネクタ３の軸線の延長方向に露出させれば、筐体１の厚み方向（図８における上下方向）の寸法を増すことなく、筐体１内部での電気的接続を行なうことができる。一方、雌型コネクタ本体２の筐体１への取付けは、筐体１の厚み方向に行なうことが可能であるので、広い面を用いて確実に行なうことができる。
【００４２】
なお、実施の形態２の構成に比べて実施の形態１，３のような構成の方が好ましい部分もある。すなわち、第２導電体露出部７は、雌型コネクタ本体２の受入れ凹部２ａとは反対側の面に配置されていることが好ましい。雌型コネクタ本体２の受入れ凹部２ａとは反対側の面とは、図８または図１０における右側の端面を意味する。この構成を採用することにより、筐体１の厚み方向（図８における上下方向）の寸法を増すことなく、筐体１内部での電気的接続を行なうことができる。
【００４３】
なお、図８に示すように、雌型コネクタ本体２は、受入れ凹部２ａに隣接して他より薄くなっている薄肉部２ｃを有し、ホルダ部材８は薄肉部２ｃに重なるように配置されていることが好ましい。このように雌型コネクタ本体２が薄肉部２ｃを有することによって、スリムな外観を実現することができる。受入れ凹部２ａに隣接する位置にただ単に薄肉部２ｃを設けるだけでは強度が不足するおそれがあるが、ここでは、薄肉部２ｃに重なるようにホルダ部材８が配置されているので、ホルダ部材８によって薄肉部２ｃが補強され、薄肉部２ｃの破損を防止することができる。ホルダ部材８という雌型コネクタ本体２とは別の部材を利用して補強するので、ホルダ部材８として強度の高い材料を採用することができる。たとえば雌型コネクタ本体２の材料が樹脂である場合にも、たとえばホルダ部材８を金属製とするなどといったことが可能であり、効率良く補強を行なうことができる。このように補強することによって、雄型コネクタ３によるこじりに対抗する雌型コネクタ本体２側の強度を十分に確保することができる。なお、「こじり」とは、たとえば図８に示すように接続された雄型コネクタ３において矢印９５で示す方向の力が作用することをいう。
【００４４】
（実施の形態４）
（構成）
図１１〜図１４を参照して、本発明に基づく実施の形態４における電子機器について説明する。本実施の形態における電子機器は、上述のいずれかの実施の形態で説明した外部接続端子部を備える。すなわち、たとえば図１１に示す電子機器３０１は、実施の形態１で説明した外部接続端子部１０１を備える。図１１では、電子機器３０１の背面側が見えている。
【００４５】
図１１に示した電子機器３０１を裏返したところを図１２に示す。図１２では、電子機器３０１の正面側が見えている。本実施の形態における電子機器３０１は、図１２に示すように、スクリーン部４１を保持する正面側筐体部品として組合せ構造体４０を備える。組合せ構造体４０による正面側筐体部品と背面側筐体部品を兼ねる外部接続端子部１０１とが組み合わさることによって電子機器３０１の外形の大部分を構成している。
【００４６】
図１２では組合せ構造体４０および外部接続端子部１０１が最も外側に露出した状態となっているが、実際には、このさらに外側にさらに外装ケース（図示せず）を備えることとしてもよい。
【００４７】
図１２に示した例では、組合せ構造体４０にはボタン４２が配置されている。ただし、ここで示したボタン４２はあくまで一例であり、これらの位置、形状、個数などはこの通りとは限らない。
【００４８】
スクリーン部４１にはたとえば表示パネルが含まれる。表示パネルは、たとえば、液晶表示パネルであってもよく、有機ＥＬパネルであってもよい。表示パネルは、ここに例示した以外の種類の表示機能を有するパネルであってもよい。表示パネルは、図示しない制御部によって制御されることによって、文字、記号、図形などの各種情報を表示する。スクリーン部４１は、表示パネルの外側に重ねて配置されるカバーパネルを含んでいてもよい。カバーパネルが配置されている場合、表示パネルに表示される情報は、カバーパネルを通して使用者に視認可能となる。
【００４９】
スクリーン部４１にはたとえばタッチパネルが含まれる。タッチパネルは、たとえば、投影型静電量容量方式のシート状のタッチパネルである。タッチパネルは、スクリーン部４１に対する物体の接触を検出し、その検出結果に応じた検出信号を出力する。図示しない制御部は、タッチパネルから出力される検出信号に基づいてスクリーン部４１に対して行われた操作の内容を特定し、その操作内容に応じた動作を行なう。
【００５０】
スクリーン部４１においては、表示パネルとタッチパネルとが別々のパネルとして用意され、両者が重なるように配置されていてもよいが、１枚で両方の機能を兼ね備えたタッチ検出機能付きパネルが用いられてもよい。タッチ検出機能付き表示パネルを用いる場合にも、その外側にカバーパネルを重ねて配置してもよい。
【００５１】
スクリーン部４１は、たとえば板状であって、平面視において一定の長手方向を有する形状をなしている。図１２に示した例では、スクリーン部４１は全体が長方形をなしている。なお、スクリーン部４１は全体が平面形状を有するものであってもよいし、少なくとも一部に湾曲形状を有するものであってもよい。
【００５２】
図１２に示した例ではボタン４２はスクリーン部４１とは別の位置に配置されているが、ボタン４２は、スクリーン部４１の内部に配置されていてもよい。
【００５３】
図１１および図１２に示した電子機器３０１では、外部接続端子部１０１の雌型コネクタ本体２などがそのまま露出しているが、電子機器３０１の外側に何らかの外装カバーを取り付けたものの全体を電子機器とみなしてもよい。すなわち、たとえば図１３に示す電子機器３０２のようなものであってもよい。電子機器３０２は、外装カバー１０を備える。電子機器３０２は、外装カバー１０の内側に外部接続端子部１０１を備える。電子機器３０２に含まれる外装カバー１０は外部接続のための開口部１０ａを有しており、外装カバー１０の開口部１０ａから受入れ凹部２ａが露出している。電子機器３０２においては、外装カバー１０を付けたままの状態で、開口部１０ａを通じて受入れ凹部２ａに対する雄型コネクタ３の接続および取り外しが可能である。
【００５４】
図１３に示した電子機器３０２を裏返したところを図１４に示す。図１４では、電子機器３０２の正面側が見えている。外装カバー１０の正面側に設けられた開口部からスクリーン部４１およびボタン４２が露出している。なお、ここで示した外装カバー１０の形状は、あくまで一例であってこれに限るものではない。スクリーン部４１およびボタン４２の位置、形状、個数などによって、外装カバー１０の正面側の開口部の形状は適宜設計される。また、外装カバー１０の外形も適宜意匠が施されて変わりうる。
【００５５】
（作用・効果）
本実施の形態における電子機器は、上述のいずれかの実施の形態で説明した外部接続端子部を備えているので、外部接続端子における防水性を確保しつつ、筐体の端を薄い形状にすることが可能な電子機器とすることができる。
【００５６】
なお、本実施の形態では、電子機器として説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電子辞書、電子書籍リーダー、デジタルカメラ、ビデオカメラ、ラジオ受信機、カーナビゲーションシステムなどであってもよい。携帯電話の概念にはスマートフォンが含まれる。
【００５７】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００５８】
１  筐体、１ａ  外表面、１ｂ  内表面、１ｅ  ビス孔、２  雌型コネクタ本体、２ａ  受入れ凹部、２ｃ  薄肉部、２ｅ  ビス孔、３  雄型コネクタ、３ｘ  軸線、４  取付け開口部、５  環状封止部、６  第１導電体露出部、７  第２導電体露出部、８  ホルダ部材、８ｅ  ビス孔、９  ビス、１０  外装カバー、１０ａ  開口部、１１  配線、４０  組合せ構造体、４１  スクリーン部、４２  ボタン、９１，９２，９５  矢印、１０１，１０２，１０３  外部接続端子部、３０１，３０２  電子機器。
【図１】
2016122605.tif 000003
【図２】
2016122605.tif 000004
【図３】
2016122605.tif 000005
【図４】
2016122605.tif 000006
【図５】
2016122605.tif 000007
【図６】
2016122605.tif 000008
【図７】
2016122605.tif 000009
【図８】
2016122605.tif 000010
【図９】
2016122605.tif 000011
【図１０】
2016122605.tif 000012
【図１１】
2016122605.tif 000013
【図１２】
2016122605.tif 000014
【図１３】
2016122605.tif 000015
【図１４】
2016122605.tif 000016